【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
複数のタッチ入力位置を同時に検出可能なタッチパネルと、
前記タッチパネル上に同時に存在している複数のタッチ入力位置のうち、予め定められた数のタッチ入力位置で構成される組み合わせを抽出する抽出手段と、
前記抽出手段で抽出された組み合わせを構成するタッチ入力位置の位置関係に基づいて、当該組み合わせが一人のユーザの範囲指定操作であるか否かを判定する判定手段と、
前記範囲指定操作であると判定された場合、当該組み合わせのタッチ入力位置に基づいて指定された範囲を決定する決定手段と、を備えることを特徴とする情報処理装置。
【請求項２】
前記決定手段によって決定された範囲とオブジェクトの表示位置との関係に基づいて、選択されたオブジェクトを取得する取得手段を更に備えることを特徴とする請求項１に記載の情報処理装置。
【請求項３】
前記判定手段は、前記組み合わせを構成するタッチ入力位置の各々の入力が開始された時刻が所定の時間範囲内におさまっていることを、前記判定をするための条件として用いることを特徴とする請求項１または２に記載の情報処理装置。
【請求項４】
前記判定手段は、前記組み合わせを構成するタッチ入力位置に基づいて円を特定し、前記円が予め定められたサイズ以下であることを、前記判定をするための条件として用いることを特徴とする請求項１から３のいずれか１項に記載の情報処理装置。
【請求項５】
前記判定手段は、前記組み合わせを構成する全てのタッチ入力位置が、円周からの距離が予め定められた範囲に納まる円を特定できることを、前記判定をするための条件として用いることを特徴とする請求項１から４のいずれか１項に記載の情報処理装置。
【請求項６】
前記判定手段は、前記円の円周を前記タッチ入力位置に基づいて分割した場合に、当該分割によって生じた全ての円弧の中心角が予め定められた大きさ以下となることを前記判定をするための条件として用いることを特徴とする請求項４に記載の情報処理装置。
【請求項７】
前記判定手段は、前記組み合わせを構成するタッチ入力位置の現時点までの履歴において、タッチ入力位置の位置関係が一人のユーザの範囲指定操作であることを判定するための条件から一度も逸脱しないことを前記判定をするための条件として用いることを特徴とする請求項１から６のいずれか１項に記載の情報処理装置。
【請求項８】
前記タッチパネルを介してユーザの手の大きさを検出する検出手段を更に備え、
前記判定手段は、前記組み合わせを構成するタッチ入力位置に基づいて設定される円のサイズが、前記検出手段で検出した手の大きさに基づいて決定されるサイズを超えないことを前記判定をするための条件として用いることを特徴とする請求項１から７のいずれか１項に記載の情報処理装置。
【請求項９】
前記タッチパネルを介してユーザに範囲指定操作を行わせ、そのときのタッチ入力位置の相対的な位置関係を保持する保持手段を更に備え、
前記判定手段は、前記組み合わせを構成するタッチ入力位置の相対的な位置関係と前記保持手段により保持された相対的な位置関係との類似度を前記判定をするための条件として用いることを特徴とする請求項１から８のいずれか１項に記載の情報処理装置。
【請求項１０】
前記抽出手段は、前記複数のタッチ入力のうちの３乃至５個の少なくとも何れかの個数のタッチ入力位置を前記組み合わせとして抽出することを特徴とする請求項１から９のいずれか１項に記載の情報処理装置。
【請求項１１】
前記抽出手段は、前記タッチパネルとは別のセンサによりユーザの手の位置を検出し、検出した手の位置に基づいて前記組み合わせを抽出することを特徴とする請求項１から１０のいずれか１項に記載の情報処理装置。
【請求項１２】
前記判定手段により範囲指定操作であると判定された場合に、当該判定の時点において前記組み合わせを構成するタッチ入力位置によって決定された範囲よりも拡大または縮小された範囲を指示するように前記組み合わせを構成するタッチ入力位置が変更されたことに応じて、前記決定された範囲を拡大または縮小する変更手段を更に備えることを特徴とする請求項１から１１のいずれか１項に記載の情報処理装置。
【請求項１３】
ユーザの人数を登録する登録手段を更に備え、
前記抽出手段は、所定の範囲内に存在する予め定められた数のタッチ入力位置を前記組み合わせとして抽出し、抽出される組み合わせの数は、前記登録手段に登録された人数の２倍以下であることを特徴とする請求項１から１２のいずれか１項に記載の情報処理装置。
【請求項１４】
前記組み合わせを構成するタッチ入力位置で決定された範囲を、平行移動、回転、拡大、縮小させるように当該組み合わせを構成するタッチ入力位置が変化したことに応じて、前記取得手段で取得したオブジェクトを平行移動、回転、拡大、縮小させる操作手段を更に備えることを特徴とする請求項２に記載の情報処理装置。
【請求項１５】
複数のタッチ入力位置を同時に検出可能なタッチパネルを備えた情報処理装置の制御方法であって、
抽出手段が、前記タッチパネル上に同時に存在している複数のタッチ入力位置のうち、予め定められた数のタッチ入力位置で構成される組み合わせを抽出し、
判定手段が、前記抽出した組み合わせを構成するタッチ入力位置の位置関係に基づいて、当該組み合わせが一人のユーザの範囲指定操作であるか否かを判定し、
決定手段が、前記範囲指定操作であると判定された場合、当該組み合わせのタッチ入力位置に基づいて指定された範囲を決定することを含むことを特徴とする情報処理装置の制御方法。
【請求項１６】
複数のタッチ入力位置を同時に検出可能なタッチパネルを備えた情報処理装置のコンピュータに、
前記タッチパネル上に同時に存在している複数のタッチ入力位置のうち、予め定められた数のタッチ入力位置で構成される組み合わせを抽出し、
前記抽出した組み合わせを構成するタッチ入力位置の位置関係に基づいて、当該組み合わせが一人のユーザの範囲指定操作であるか否かを判定し、
前記範囲指定操作であると判定された場合、当該組み合わせのタッチ入力位置に基づいて指定された範囲を決定する、ことを含む制御方法を実行させるためのプログラム。
【請求項１７】
請求項１６に記載のプログラムを格納したコンピュータ読み取り可能な記憶媒体。
【手続補正２】
【補正対象書類名】明細書
【補正対象項目名】０００５
【補正方法】変更
【補正の内容】
【０００５】
上記の目的を達成するための本発明の一態様による情報処理装置は以下の構成を備える。すなわち、
複数のタッチ入力位置を同時に検出可能なタッチパネルと、
前記タッチパネル上に同時に存在している複数のタッチ入力位置のうち、予め定められた数のタッチ入力位置で構成される組み合わせを抽出する抽出手段と、
前記抽出手段で抽出された組み合わせを構成するタッチ入力位置の位置関係に基づいて、当該組み合わせが一人のユーザの範囲指定操作であるか否かを判定する判定手段と、
前記範囲指定操作であると判定された場合、当該組み合わせのタッチ入力位置に基づいて指定された範囲を決定する決定手段と、を備える。
【手続補正３】
【補正対象書類名】明細書
【補正対象項目名】０００６
【補正方法】変更
【補正の内容】
【０００６】
また、上記の目的を達成するための本発明の他の態様による情報処理装置の制御方法は、
複数のタッチ入力位置を同時に検出可能なタッチパネルを備えた情報処理装置の制御方法であって、
抽出手段が、前記タッチパネル上に同時に存在している複数のタッチ入力位置のうち、予め定められた数のタッチ入力位置で構成される組み合わせを抽出し、
判定手段が、前記抽出した組み合わせを構成するタッチ入力位置の位置関係に基づいて、当該組み合わせが一人のユーザの範囲指定操作であるか否かを判定し、
決定手段が、前記範囲指定操作であると判定された場合、当該組み合わせのタッチ入力位置に基づいて指定された範囲を決定することを含む。